(57)【特許請求の範囲】
【請求項１】
液晶表示素子と、上記液晶表示素子の背後に配置され、複数の色の光を所定の周期で順次上記液晶表示素子に向けて出射するバックライトとを備えた液晶表示装置に対し、１つのカラー画像を表示するための１フレームを上記バックライトが出射する光の色の数で分割した複数のサブフレーム毎に、上記液晶表示素子への上記複数の色のうちの１つの色に対応する表示データの書込みと、上記バックライトからの上記表示データに対応する色の光の出射とを行なわせ、上記複数のサブフレーム毎の複数の色の表示の合成により１つのカラー画像を表示させる集積回路化された液晶駆動装置において、
１つの画像データを表すデジタルデータのビット数をｎ、前記液晶表示素子の走査線数をｍとするとき、それぞれ２×ｎ×ｍビット以上の記憶容量を有し、画像の供給源からパラレルに与えられる複数の色の表示データを各色成分毎に２フレーム分ずつ連続して記憶するそれぞれＦＩＦＯメモリで構成された複数の記憶手段と、
この複数の記憶手段に記憶した複数の色の表示データをシリアルに読出して上記液晶表示素子に供給する画像読出手段と
を同一集積回路内に具備したことを特徴とする液晶駆動装置。
【請求項２】
上記複数の記憶手段から読出された複数の色の表示データをパラレルに受け、それぞれ所定の係数を乗じた後に一括加算して白黒の表示データを生成する白黒合成手段をさらに上記同一集積回路内に具備し、
この白黒合成手段で得た白黒表示データを上記画像読出手段により上記液晶表示素子に供給させて白黒画像を表示させることを特徴とする請求項１記載の液晶駆動装置。
【請求項３】
上記白黒合成手段を用いての白黒画像表示時には、液晶駆動のためのフレーム周波数を、カラー画像表示時に比して、バックライトが出射する光の色の数分の１に減少させることを特徴とする請求項２記載の液晶駆動装置。
【請求項４】
上記白黒合成手段を用いての白黒画像表示時には、上記バックライトを消灯させておくことを特徴とする請求項２記載の液晶駆動装置。
【発明の詳細な説明】
【０００１】
【発明の属する技術分野】
本発明は、フィールドシーケンシャル方式の液晶表示パネルを駆動する液晶駆動装置に関する。
【０００２】
【従来の技術】
近時、カラー画像を表示する液晶表示装置として、対向する内面それぞれに電極が形成された一対の基板間に液晶を挟持した液晶素子を有し、光の透過を制御して画像を表示する液晶表示素子と、上記液晶表示素子の背後に配置され、複数の色の光を所定の周期で順次上記液晶表示素子に向けて出射するバックライトと、１つのカラー画像を表示するための１フレームを上記バックライトが出射する光の色の数で分割した複数のサブフレーム毎に、上記液晶表示素子への上記複数の色のうちの１つの色に対応する表示データの書込みと、上記バックライトからの上記表示データに対応する色の光の出射とを行なわせる制御手段とを備え、上記複数のサブフレーム毎の複数の色の表示の合成により１つのカラー画像を表示する方式のものが研究されている。
【０００３】
この方式は、一般にフィールドシーケンシャル方式と呼ばれており、これまでのフィールドシーケンシャル方式の液晶表示装置では、上記複数のサブフレーム毎に、上記バックライトから１つの色の光をサブフレーム期間中出射させ、その状態で上記液晶表示素子に上記１つの色に対応する表示データを書込むようにした構成となっている。
【０００４】
このフィールドシーケンシャル方式の液晶表示装置は、液晶表示素子がカラーフィルタを備えていないため、カラーフィルタによる光の吸収がなく、また、１フレームをバックライトが出射する光の色の数で分割した複数のサブフレーム毎の複数の色の明るい光の合成により１つのカラー画像を表示するため、複数の画素にそれぞれ対応する複数の色のカラーフィルタを備えた液晶表示素子を用いる液晶表示装置に比べて、明るく、しかも高精細なカラー画像を表示することができる。
【０００５】
図６は、フィールドシーケンシャル方式での一般的な画像データの転送工程を示すものである。同図に示す如く、画像ソース１２からパラレルで与えられる原色系の画像データＲＧＢは、その画像送出側回路１１中で周波数ｆｓのクロックに従って、例えばＶＲＡＭやＦＩＦＯメモリで構成される画像メモリ１３に一旦記憶される。
【０００６】
この画像メモリ１３に記憶された画像データＲＧＢが、周波数３ｆｓのクロックに従って順次シリアルデータとして読出され、モジュール側回路１４のドライバ１５に送られる。
【０００７】
ドライバ１５は、ラッチ回路１５ａとバッファアンプ１５ｂを有しており、画像送出側回路１１からシリアルに送られてきた画像データは順次ラッチ回路１５ａでラッチした後にバッファアンプ１５ｂを介して液晶表示素子を含む表示装置１６に供給し、当該画像に対応した表示を実行させる。
【０００８】
【発明が解決しようとする課題】
上述した如く、フィールドシーケンシャル方式での一般的な画像データの転送工程では、モジュール側回路１４に至る手前でパラレルの画像データＲＧＢを画像メモリ１３に記憶させ、この画像メモリ１３に記憶させた画像データＲＧＢをシリアルに読出してモジュール側回路１４へ供給することになる。
【０００９】
したがって、モジュール側回路１４以外に画像送出側回路１１等の外部電子部品が多数必要となると共に、これによりシステム全体としても電力消費が大きく、且つ製造に係るコストも増加してしまうという不具合があった。
【００１０】
本発明は上記のような実情に鑑みてなされたもので、その目的とするところは、できる限り液晶表示素子を含むモジュール側の回路以外の構成を簡略化して、全体の回路規模を小さくし、消費電力と製造コストの低減に寄与することが可能な液晶表示装置を提供することにある。
【００１１】
【課題を解決するための手段】
請求項１記載の発明は、液晶表示素子と、上記液晶表示素子の背後に配置され、複数の色の光を所定の周期で順次上記液晶表示素子に向けて出射するバックライトとを備えた液晶表示装置に対し、１つのカラー画像を表示するための１フレームを上記バックライトが出射する光の色の数で分割した複数のサブフレーム毎に、上記液晶表示素子への上記複数の色のうちの１つの色に対応する表示データの書込みと、上記バックライトからの上記表示データに対応する色の光の出射とを行なわせ、上記複数のサブフレーム毎の複数の色の表示の合成により１つのカラー画像を表示させる集積回路化された液晶駆動装置において、１つの画像データを表すデジタルデータのビット数をｎ、前記液晶表示素子の走査線数をｍとするとき、それぞれ２×ｎ×ｍビット以上の記憶容量を有し、画像の供給源からパラレルに与えられる複数の色の表示データを各色成分毎に２フレーム分ずつ連続して記憶するそれぞれＦＩＦＯメモリで構成された複数の記憶手段と、この複数の記憶手段に記憶した複数の色の表示データをシリアルに読出して上記液晶表示素子に供給する画像読出手段とを同一集積回路内に具備したことを特徴とする。
【００１２】
このような構成とすれば、液晶表示装置のドライバモジュールで画像ソースからのパラレルなカラー画像データを直接受け、モジュール内に設けた記憶手段（メモリ）に記憶させた上でシリアルなデータに変換して駆動させることができるので、画像ソースとドライバモジュール間の構成を大幅に簡略化され、その配線パターンに起因するＥＭＩ（Ｅｌｅｃｔｒｏ Ｍａｇｎｅｔｉｃ Ｉｎｔｅｒｆｅｒｅｎｃｅ：電磁障害）の低減と画像データ転送時の信号損失の低減とに寄与できる。また、前記複数の記憶手段を、それぞれＦＩＦＯメモリで構成したので、データ処理を単純化することができる。
【００１３】
請求項２記載の発明は、上記請求項１記載の発明において、上記記憶手段から読出された複数の色の表示データをパラレルに受け、それぞれ所定の係数を乗じた後に一括加算して白黒の表示データを生成する白黒合成手段をさらに上記同一集積回路内に具備し、この白黒合成手段で得た白黒表示データを上記画像読出手段により上記液晶表示素子に供給させて白黒画像を表示させることを特徴とする。
【００１４】
このような構成とすれば、上記請求項１記載の発明の作用に加えて、簡単な回路構成を付加するだけで白黒画像の表示も行なえるようになる。
【００１５】
請求項３記載の発明は、上記請求項２記載の発明において、上記白黒合成手段を用いての白黒画像表示時には、液晶駆動のためのフレーム周波数を、カラー画像表示時に比して、バックライトが出射する光の色の数分の１に減少させることを特徴とする。
【００１６】
このような構成とすれば、上記請求項２記載の発明の作用に加えて、フレーム周波数を減少させることで、液晶表示装置の表示駆動に係る消費電力を大幅に低減させ、電源を有効に使用することができる。
【００１７】
請求項４記載の発明は、上記請求項２記載の発明において、上記白黒合成手段を用いての白黒画像表示時には、上記バックライトを消灯させておくことを特徴とする。
【００１８】
このような構成とすれば、上記請求項２記載の発明の作用に加えて、バックライトを消灯させておき、反射型の液晶表示素子として白黒加須を表示させることで、バックライト点灯に係る消費電力を無用として、電源を有効に使用することができる。
【００１９】
【発明の実施の形態】
以下本発明の実施の一形態に係る液晶駆動装置について図面を参照して説明する。
【００２０】
図１は、同実施の形態に係るフィールドシーケンシャル方式での画像データの転送工程を示すものである。同図に示す如く、画像送出側回路２１の画像ソース２２からパラレルで与えられる原色系の画像データＲＧＢは、そのまま直接モジュール側回路２３のドライバ２４に送られる。
【００２１】
ドライバ２４は、主として画像メモリ２４ａとバッファアンプ２４ｂとにより構成されるもので、画像送出側回路２１からのパラレルな画像データＲＧＢは、画像メモリ２４ａにて記憶された後にバッファアンプ２４ｂより順次読出されてシリアルな画像データＲＧＢとして液晶表示素子を含む表示装置２５に供給し、当該画像に対応した表示を実行させる。
【００２２】
図２は、上記ドライバ２４のソースラインの出力１チャネル分に相当する概略構成を示すもので、ここではアナログの画像データＲＧＢとデジタル値の画像データＲＧＢとが入力可能であるものとする。
【００２３】
同図中、デジタル値の画像データＲＧＢ各ｎビットが、直接スイッチ＆ラッチ部３１に入力される一方、アナログの画像データＲＧＢがそれぞれＡ／Ｄ変換器３２ａ〜３２ｃで各色ｎビットにデジタル化されてからスイッチ＆ラッチ部３１に入力される。
【００２４】
このスイッチ＆ラッチ部３１では、Ａ／Ｄ変換器３２ａ〜３２ｃを介してデジタル化した画像データＲＧＢと直接入力されるデジタル値の画像データＲＧＢのいずれか一方を選択的にラッチし、各色成分毎にデータバス３３ａ〜３３ｃへ出力する。
【００２５】
しかして、これらデータバス３３ａ〜３３ｃに上記画像メモリ２４ａを構成するメモリ３４ａ〜３４ｃが接続される。これらメモリ３４ａ〜３４ｃにはまた、画像メモリ制御部３５から書込みイネーブル信号ＷＥ、及び読出しイネーブル信号ＲＥがそれぞれ入力され、また別に書込みクロック（ＣＫ）及び読出しクロック（ＣＫ）が供給される。
【００２６】
メモリ３４ａ〜３４ｃは、ここで取扱う画像データの走査線数をｍラインとすると、いずれもｎビット×ｍライン×２以上の容量を持ち、２フレーム分以上の画像データを記憶可能としたＦＩＦＯメモリで構成されるもので、データバス３３ａ〜３３ｃを介して入力される画像データは、同一画素を構成する各ＲＧＢデータが同一タイミングで書込まれ、順次メモリ３４ａ〜３４ｃ内を転送されて読出されるものとする。
【００２７】
したがって、メモリ３４ａ〜３４ｃには各画素毎に同一ソースライン上の画像データを表示装置２５の表示モジュールの走査線数分蓄積記憶させることにより、メモリ３４ａ〜３４ｃ全てのデータを総合すると１フレーム分の画像データを蓄積記憶したことになる。
【００２８】
メモリ３４ａ〜３４ｃから読出される画像データの各ＲＧＢデータは、マルチプレクサ３６及びデータ演算合成部３７へ送られる。
【００２９】
マルチプレクサ３６は、後述するカラー表示モードで使用するものであり、メモリ３４ａ〜３４ｃの出力を順次選択してモード切換スイッチ３８へ出力する。
【００３０】
一方、データ演算合成部３７は、後述する白黒表示モードで使用するものであり、メモリ３４ａ〜３４ｃの出力であるＲＧＢデータから白黒表示用の輝度データを算出してモード切換スイッチ３８へ出力する。
【００３１】
図３は、上記データ演算合成部３７の詳細な回路構成を示すものである。同図で、メモリ３４ａ〜３４ｃから読出されてきたＲＧＢの各データに対し、それぞれ乗算器４１ａ〜４１ｃが予め与えられた所定の乗数α，β，γ（０≦α，β，γ≦１）により乗算し、その積を出力する。
【００３２】
なお、上記乗算器４１ａ〜４１ｃにおける各乗数は、任意の値を設定できるものとする。
【００３３】
これら乗算器４１ａ〜４１ｃが出力した各積を、加算器４２が加算することで、カラー画像を構成するＲＧＢデータから白黒表示のための輝度（Ｙ）データを算出する。
【００３４】
上記モード切換スイッチ３８は、カラー表示モード時にマルチプレクサ３６の出力を、白黒表示モード時にマルチプレクサ３６の出力を切換選択してＤ／Ａ変換器３９へ出力する。
【００３５】
このＤ／Ａ変換器３９では、モード切換スイッチ３８から送られてきた画像データをアナログ化して出力するもので、出力されるアナログ値の画像信号がバッファアンプ４０で順次所定の増幅率にて増幅された後に、次段の表示装置２５、具体的には液晶表示パネルのソースラインへ供給されることとなる。
【００３６】
次に上記実施の形態の動作について説明する。
まず、カラー表示モード時の動作について説明する。
ここでは、１／６０［秒］に１フレーム分の画像データを表示するものとし、その速度に合せて画像データが順次画像送出側回路２１の画像ソース２２から転送され、１フレームを３分割した１フィード毎にＲ，Ｇ，Ｂの各色の画像データを表示装置へ供給する。
【００３７】
したがって、１フレーム分のＲ，Ｇ，Ｂの各色に対応する画像データが１／６０［秒］でメモリ３４ａ〜３４ｃへ順次蓄積記憶されることとなり、読出しに際しては蓄積の３倍の速度、すなわち１／１８０［秒］で各色成分毎に順次１フィールド分の画像データを読出してマルチプレクサ３６へ送出することとなる。
【００３８】
図４は、カラー表示モード時のメモリ３４ａ〜３４ｃでの書込み／読出し状態の遷移を示すものである。図中、各２フレーム分の容量を有するメモリ３４ａ〜３４ｃに対し、ハッチング部分は画像データが書込まれている状態を示し、先端を黒ベタで示す矢印は画像データの書込み動作を、先端を白ヌキで示す矢印は画像データの読出し動作をそれぞれ示す。
【００３９】
はじめに、図４（０）に示すように、まったくメモリ３４ａ〜３４ｃに画像データが書込まれていない状態から、１／６０［秒］かけて画像データＲＧＢそれぞれの１フレーム分をメモリ３４ａ〜３４ｃに同時に書込み、その後、図４（１）〜（３）に示すように、各メモリ３４ａ〜３４ｃには、引き続く第２フレームの画像データＲＧＢが連続して書込まれる。
【００４０】
第１フレーム分の各画像データＲＧＢの書込みの完了と同時に、図４（１）で示すように１／１８０［秒］の１フィールドに対応する期間に、まず第１フレームの第１フィールドに対応するＲデータをメモリ（Ｒ）から読出し、マルチプレクサ３６へ出力する。
【００４１】
続いて図４（２）に示すように、１／１８０［秒］間でＧデータの１フレーム分の読出しを行なってこれを第１フレームの第２フィールドのＧデータとしてマルチプレクサ３６へ出力する。
【００４２】
その後、図４（３）に示す１／１８０［秒］間でＢデータの１フレーム分の読出しを行なってこれを第１フレームの第３フィールドのＢデータとしてマルチプレクサ３６へ出力する。
【００４３】
次いで、図４（４）〜（６）に示すように、引き続く第３フレームの画像データＲＧＢは、上記各メモリ３４ａ〜３４ｃの先頭から書込みが開始され、１／６０［秒］の間でこの書込みを完了した後、引き続く第４フレームの画像データＲＧＢも引き続き１／６０［秒］の間に書込まれる。
【００４４】
上記第１フレーム分の画像データＲＧＢの読出しが完了した後、図４（４）に示したようにメモリ（Ｒ）３４ａの第２フレーム分の画像データＲの先頭から１／１８０［秒］間に読出し、マルチプレクサ３６へ第２フィールドのＲデータとして出力する。続いて図４（５）に示したようにメモリ（Ｇ）３４ｂの第２フレーム分の画像データＧの先頭から読み出しを開始し、第２フレームの第２フィールドに対応するＧデータを１／１８０［秒］間に読出し、マルチプレクサ３６へ出力する。
【００４５】
さらに続けて、図４（６）に示したようにメモリ（Ｂ）３４ｃの第２フレーム分の画像データＢの先頭から読出しを開始し、第２フレームの第３フィールドに対応するＢデータを１／１８０［秒］間に読出し、マルチプレクサ３６へ出力する。
【００４６】
以上の図４（１）〜（６）で説明した動作を図４（７）以降でも同様に繰返し実行し、これに対してマルチプレクサ３６がメモリ３４ａ〜３４ｃから１／１８０［秒］の１フィールドの周期で１フレーム分の色成分別に読出されてくる画像データＲＧＢを３のフィールドに順次選択して出力し、モード切換スイッチ３８を介してＤ／Ａ変換器３９でアナログ化させてバッファアンプ４０よりシリアルな画像データとして表示装置２５に供給させ、表示駆動させる。
【００４７】
これと同期して表示装置２５では、ＲＧＢの各色成分に対応したバックライトを順次点灯駆動させることで、色成分毎に時間的に分割された１フレーム分の画像データが表示され、人間の視覚的には残像現象により合成されたカラー画像として視認できるようになる。
【００４８】
このように、表示装置２５を有するモジュール側回路２３のドライバ２４内に画像メモリ２４ａを構成するメモリ３４ａ〜３４ｃを設けて、画像ソース２２からのパラレルなＲＧＢデータを直接受取り、該メモリ３４ａ〜３４ｃに各フレーム順に順次書込んで記憶させ、その書込まれたデータを１フレームの１／３周期の１フィールドで各ＲＧＢデータを順に読出してマルチプレクサ３６へ供給し、このマルチプレクサにより、シリアルなデータに変換して表示装置２５で駆動表示させることができる。
【００４９】
したがって、画像ソース２２を有した画像送出側回路２１とモジュール側回路２３の間の構成を大幅に簡略化することができる上、その配線パターンに起因するＥＭＩの低減と画像データ転送時の信号損失の低減とに共に寄与できる。
【００５０】
次に、白黒表示モード時の動作について説明する。
ここでは、１／６０［秒］に１フレーム分の画像データを表示するものとし、その速度に合せて画像データが順次画像送出側回路２１の画像ソース２２から転送されてくるものとする。
【００５１】
したがって、１フレーム分の画像データが１／６０［秒］でメモリ３４ａ〜３４ｃへ順次蓄積記憶されることとなり、読出しに際しては蓄積時と同じ１／６０［秒］で各色成分毎に１フレーム分の画像データを読出してデータ演算合成部３７へ送出することとなる。
【００５２】
図５は、白黒表示モード時のメモリ３４ａ〜３４ｃでの書込み／読出し状態の遷移を示すものである。図中、各２フレーム分の容量を有するメモリ３４ａ〜３４ｃに対し、ハッチング部分は画像データが書込まれている状態を示し、先端を黒ベタで示す矢印は画像データの書込み動作を、先端を白ヌキで示す矢印は画像データの読出し動作をそれぞれ示す。
【００５３】
はじめに、図５（０）に示すようにまったくメモリ３４ａ〜３４ｃに画像データが書込まれていない状態から、１／６０［秒］かけて画像データＲＧＢ各１フレーム分をメモリ３４ａ〜３４ｃに同時に書込み、引き続いて図５（１）に示すように、各メモリ３４ａ〜３４ｃには、引き続く第２フレームの画像データＲＧＢが連続して書込まれる。
【００５４】
その後、図５（１）に示すように各メモリ３４ａ〜３４ｃのＲＧＢデータ色成分毎に前に書込んだ１フレーム分の各画像データＲＧＢをメモリの先頭からそれぞれ同時に読出して、上記データ演算合成部３７へ出力させる。
【００５５】
次いで、図５（２）に示すように各メモリ３４ａ〜３４ｃのＲＧＢデータの第２フレームの先頭から１／６０［秒］の間でのＲＧＢデータの各１フレーム分の画像データを同時に読出して、上記データ演算合成部３７へ出力させる。
【００５６】
以上の図５（１），（２）で説明した動作を図５（３）以降でも同様に繰返し実行し、これに対して上記図３で示したデータ演算合成部３７では、メモリ３４ａ〜３４ｃから１／６０［秒］で１フレーム分が同時に読出されてくる画像データに対し、それぞれ乗算器４１ａ〜４１ｃが予め与えられた所定の乗数α，β，γにより乗算し、その積を出力する。
【００５７】
この場合、参考としてわが国の標準的なテレビジョン方式であるＮＴＳＣ方式の信号規格では、輝度（Ｙ）データとＲ，Ｇ，Ｂの各カラーデータは下記のように定められている。すなわち、
Ｙ＝0.299×Ｒ＋0.587×Ｇ＋0.144×Ｂ    …(1)
仮にこの関係式（１）に従って上記データ演算合成部３７の各乗数を設定するものとすると、
α＝０.２９９，β＝０.５８７，γ＝０.１４４
となる。
【００５８】
こうして各色成分毎にしての乗数を持って乗算がなされた後に、加算器４２で一括加算することにより、その和が輝度（Ｙ）データとなるもので、このデータ演算合成部３７で算出された輝度データは、モード切換スイッチ３８を介してＤ／Ａ変換器３９でアナログ化させてバッファアンプ４０よりシリアルな画像データとして表示装置２５に供給され駆動表示される。
【００５９】
これと同期して表示装置２５では、ＲＧＢの各色成分に対応したバックライトを同時点灯駆動させることで、白色光を生成して出射することで、１フレーム分の白黒画像データが表示される。
【００６０】
このように、データ演算合成部３７とモード切換スイッチ３８のような簡単な構成の回路を付加してその制御を行なうだけで、容易に白黒画像の表示も行なえるようになる。
【００６１】
加えて、上記白黒表示モード時には、カラー表示モード時と異なり、メモリ３４ａ〜３４ｃへの書込みと読出しの各動作速度を同一にすることができるもので、特に読出し時の速度に関して言えば、サブフレーム駆動を行わないために、フレーム周波数をＲ,Ｇ,Ｂの色成分数３に応じて１／３に減じることができ、その分、表示装置２５の表示駆動に係る消費電力を大幅に低減させ、電池のようにその容量が制限されている電源であっても、有効に使用することができる。
【００６２】
なお、上記白黒表示モード時には、ＲＧＢの各色成分に対応したバックライトを同時に点灯駆動させるものとして説明したが、表示装置２５が反射型の液晶表示パネルとしても使用可能な反射板の構成を有しているものであれば、あえてすべてのバックライトを消灯させるものとしてもよい。
【００６３】
この場合、表示装置２５を反射型の液晶表示パネルとして使用することで、消費電力中の大きな割合を占めるバックライトの点灯駆動に係る電力を無用として、容量に制限のある電源でも、より有効に使用することができるようになる。
【００６４】
その他、本発明は上記実施の形態に限らず、その要旨を逸脱しない範囲内で種々変形して実施することが可能であるものとする。
【００６５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００６６】
【発明の効果】
請求項１記載の発明によれば、液晶表示装置のドライバモジュールで画像ソースからのパラレルなカラー画像データを直接受け、モジュール内に設けた記憶手段（メモリ）に記憶させた上でシリアルなデータに変換して駆動させることができるので、画像ソースとドライバモジュール間の構成を大幅に簡略化して、その配線パターンに起因するＥＭＩの低減と、画像データ転送時の信号損失の低減とに寄与でき、またデータ処理を単純化することができる。
【００６７】
請求項２記載の発明によれば、上記請求項１記載の発明の効果に加えて、簡単な回路構成を付加するだけで白黒画像の表示も行なえるようになる。
【００６８】
請求項３記載の発明によれば、上記請求項２記載の発明の効果に加えて、フレーム周波数を減少させることで、液晶表示装置の表示駆動に係る消費電力を大幅に低減させ、電源を有効に使用することができる。
【００６９】
請求項４記載の発明によれば、上記請求項２記載の発明の効果に加えて、バックライトを消灯させておき、反射型の液晶表示素子として白黒画像を表示させることで、バックライト点灯に係る消費電力を無用として、電源を有効に使用することができる。
【図面の簡単な説明】
【図１】本発明の実施の一形態に係るフィールドシーケンシャル方式での画像データの転送工程を示すブロック図。
【図２】図１のドライバ内部の概略回路構成の一部を示すブロック図。
【図３】図２のデータ演算合成部の詳細な回路構成を示すブロック図。
【図４】同実施の形態に係るカラー表示モード時のメモリでの書込み／読出し動作を示す図。
【図５】同実施の形態に係る白黒表示モード時のメモリでの書込み／読出し動作を示す図。
【図６】フィールドシーケンシャル方式での一般的な画像データの転送工程を示すブロック図。
【符号の説明】
１１…画像送出側回路
１２…画像ソース
１３…画像メモリ
１４…モジュール側回路
１５…ドライバ
１５ａ…ラッチ回路
１５ｂ…バッファアンプ
１６…表示装置
２１…画像送出側回路
２２…画像ソース
２３…モジュール側回路
２４…ドライバ
２４ａ…画像メモリ
２４ｂ…バッファアンプ
２５…表示装置
３１…スイッチ＆ラッチ部
３２ａ〜３２ｃ…Ａ／Ｄ変換器
３３ａ〜３３ｃ…データバス
３４ａ〜３４ｃ…メモリ
３５…画像メモリ制御部
３６…マルチプレクサ
３７…データ演算合成部
３８…モード切換スイッチ
３９…Ｄ／Ａ変換器
４０…バッファアンプ
４１ａ〜４１ｃ…乗算器
４２…加算器
【図１】
0003876708.tif 000002
【図２】
0003876708.tif 000003
【図３】
0003876708.tif 000004
【図４】
0003876708.tif 000005
【図５】
0003876708.tif 000006
【図６】
0003876708.tif 000007